(57)【要約】【課題】結束バンドによりプロテクタに電線を固定する際に、プロテクタの内部に収容できる電線の数を多くすることができる技術を提供することを目的とする。【解決手段】電線固定構造１０は、配線部材１２と、結束バンド５０と、プロテクタ２０とを備える。プロテクタ２０は、三方に壁部２４が設けられ、壁部２４に囲まれた収容空間２６に配線部材１２を収容可能な本体部２２と、壁部２４が収容空間２６側に隆起する態様に形成された電線固定部４０とを含み、壁部２４のうち電線固定部４０の両側方に位置する部分にバンド部５２を挿通可能なバンド挿通孔２８が形成されている。電線固定部４０は、壁部２４の厚み以下の隆起量で収容空間２６側に隆起するとともに、電線固定部４０の外面は、バンド挿通孔２８が形成された壁部２４の外面よりもバンド部５２の厚み以上凹んでいる。【選択図】図１
2015146669.tif 000002
【特許請求の範囲】
【請求項１】
少なくとも１本の電線を含む配線部材と、
バンド部と、前記バンド部の一方側端部につながるとともに他方側端部を係止可能なバンド固定部とを含む結束バンドと、
三方に壁部が設けられ、前記壁部に囲まれた収容空間に前記配線部材を収容可能な本体部と、前記壁部の周方向の中間部分が前記本体部の長手方向に沿った一部で前記収容空間側に隆起する態様に形成された電線固定部とを含み、前記壁部のうち前記電線固定部の両側方に位置する部分に前記バンド部を挿通可能なバンド挿通孔が形成されたプロテクタと、
を備え、
前記電線固定部は、前記壁部の厚み以下の隆起量で前記収容空間側に隆起するとともに、前記電線固定部の外面は、前記バンド挿通孔が形成された前記壁部の外面よりも前記バンド部の厚み以上凹んでおり、
前記電線固定部に前記配線部材が接触した状態で、前記バンド部が前記バンド挿通孔に通されるとともに、前記配線部材と前記電線固定部とに巻回されている、電線固定構造。
【請求項２】
請求項１に記載の電線固定構造であって、
前記電線固定部には、内面にその幅方向両端から中央に向けて凹むような態様の電線収容凹部が形成されている、電線固定構造。
【請求項３】
請求項１又は請求項２に記載の電線固定構造であって、
前記電線固定部の外面が、前記壁部の内面よりも前記収容空間側に位置する態様で、前記電線固定部に前記バンド部を挿通可能なバンド挿通凹部が形成されている、電線固定構造。
【請求項４】
請求項１〜請求項３のいずれか１項に記載の電線固定構造であって、
前記壁部のうち、前記収容空間側であって前記バンド挿通孔がある側方部分に、前記バンド挿通孔に向けて徐々に深くなるバンド挿通補助凹部が形成されている、電線固定構造。
【請求項５】
請求項１〜請求項４のいずれか１項に記載の電線固定構造であって、
前記壁部のうち前記本体部の長手方向に沿って前記電線固定部の両端側と連なる部分が、前記電線固定部と同じ隆起量で全体的に隆起している、電線固定構造。
【請求項６】
三方に壁部が設けられ、前記壁部に囲まれた収容空間に配線部材を収容可能な本体部と、
前記壁部の周方向の中間部分が前記本体部の長手方向に沿った一部で前記収容空間側に隆起する態様に形成された電線固定部と、
を含み、
前記壁部のうち前記電線固定部の両側方に位置する部分に結束バンドのバンド部を挿通可能なバンド挿通孔が形成され、
前記電線固定部は、前記壁部の厚み以下の隆起量で前記収容空間側に隆起するとともに、前記電線固定部の外面は、前記バンド挿通孔が形成された前記壁部の外面よりも前記バンド部の厚み以上凹んでいる、プロテクタ。
【発明の詳細な説明】
【技術分野】
【０００１】
この発明は、結束バンドを用いてプロテクタに電線を固定する技術に関する。
【背景技術】
【０００２】
車両に配設される電線には、保護及び経路規制等を目的としてその周囲にプロテクタが装着される場合がある。
【０００３】
この際に、プロテクタに電線を固定する技術として、例えば、特許文献１に記載のワイヤーハーネス固定構造がある。
【０００４】
特許文献１に記載のワイヤーハーネス固定構造では、プロテクタ本体の壁面から所定距離をおいて壁面に沿って配設される固定板とワイヤーハーネスとを結束バンドで結束することによりプロテクタにワイヤーハーネスを固定していた。
【先行技術文献】
【特許文献】
【０００５】
【特許文献１】特開２０１０−４６０６号公報
【発明の概要】
【発明が解決しようとする課題】
【０００６】
しかしながら、特許文献１に記載のワイヤーハーネス固定構造では、固定板がプロテクタ本体の壁面から結束バンドのバンド部の厚みを超える所定距離をおいて配設されているため、プロテクタの内部に収容できる電線の数が少なくなってしまう恐れがあった。
【０００７】
そこで、本発明は、結束バンドによりプロテクタに電線を固定する際に、プロテクタの内部に収容できる電線の数を多くすることができる技術を提供することを目的とする。
【課題を解決するための手段】
【０００８】
上記課題を解決するため、第１の態様に係る電線固定構造は、少なくとも１本の電線を含む配線部材と、バンド部と、前記バンド部の一方側端部につながるとともに他方側端部を係止可能なバンド固定部とを含む結束バンドと、三方に壁部が設けられ、前記壁部に囲まれた収容空間に前記配線部材を収容可能な本体部と、前記壁部の周方向の中間部分が前記本体部の長手方向に沿った一部で前記収容空間側に隆起する態様に形成された電線固定部とを含み、前記壁部のうち前記電線固定部の両側方に位置する部分に前記バンド部を挿通可能なバンド挿通孔が形成されたプロテクタと、を備え、前記電線固定部は、前記壁部の厚み以下の隆起量で前記収容空間側に隆起するとともに、前記電線固定部の外面は、前記バンド挿通孔が形成された前記壁部の外面よりも前記バンド部の厚み以上凹んでおり、前記電線固定部に前記配線部材が接触した状態で、前記バンド部が前記バンド挿通孔に通されるとともに、前記配線部材と前記電線固定部とに巻回されている。
【０００９】
第２の態様に係る電線固定構造は、第１の態様に係る電線固定構造であって、前記電線固定部には、内面にその幅方向両端から中央に向けて凹むような態様の電線収容凹部が形成されている。
【００１０】
第３の態様に係る電線固定構造は、第１又は第２の態様に係る電線固定構造であって、前記電線固定部の外面が、前記壁部の内面よりも前記収容空間側に位置する態様で、前記電線固定部に前記バンド部を挿通可能なバンド挿通凹部が形成されている。
【００１１】
第４の態様に係る電線固定構造は、第１〜第３のいずれか１つの態様に係る電線固定構造であって、前記壁部のうち、前記収容空間側であって前記バンド挿通孔がある側方部分に、前記バンド挿通孔に向けて徐々に深くなるバンド挿通補助凹部が形成されている。
【００１２】
第５の態様に係る電線固定構造は、第１〜第４のいずれか１つの態様に係る電線固定構造であって、前記壁部のうち前記本体部の長手方向に沿って前記電線固定部の両端側と連なる部分が、前記電線固定部と同じ隆起量で全体的に隆起している。
【００１３】
第６の態様に係るプロテクタは、三方に壁部が設けられ、前記壁部に囲まれた収容空間に配線部材を収容可能な本体部と、前記壁部の周方向の中間部分が前記本体部の長手方向に沿った一部で前記収容空間側に隆起する態様に形成された電線固定部と、を含み、前記壁部のうち前記電線固定部の両側方に位置する部分に結束バンドのバンド部を挿通可能なバンド挿通孔が形成され、前記電線固定部は、前記壁部の厚み以下の隆起量で前記収容空間側に隆起するとともに、前記電線固定部の外面は、前記バンド挿通孔が形成された前記壁部の外面よりも前記バンド部の厚み以上凹んでいる。
【発明の効果】
【００１４】
第１〜第５の態様に係る電線固定構造によると、壁部の中間部分が本体部の長手方向に沿った一部で収容空間側に隆起する態様に形成された電線固定部を含み、壁部のうち電線固定部の両側方に位置する部分にバンド部を挿通可能なバンド挿通孔が形成されているため、壁部の内面から電線固定部の内面までの寸法が小さくなり、プロテクタの内部に収容できる電線の数を多くすることができる。また、電線固定部の外面は、バンド挿通孔が形成された壁部の外面よりもバンド部の厚み以上凹んでいるため、例えば、プロテクタ保持用枠治具にプロテクタを収容しつつバンド部をバンド挿通孔に通すことができるとともに、バンド部が壁部の外面より出っ張ることを抑制できる。
【００１５】
特に、第２の態様に係る電線固定構造によると、電線固定部には、内面にその幅方向両端から中央に向けて凹むような態様の電線収容凹部が形成されているため、電線の一部が電線収容凹部に収まることによって、プロテクタの内部に収容できる電線の数を多くすることができる。
【００１６】
特に、第３の態様に係る電線固定構造によると、電線固定部のうちバンド挿通孔が形成された部分の外面が、壁部の内面よりも収容空間側に高くなる態様で、電線固定部にバンド部を挿通可能なバンド挿通凹部が形成されているため、バンド挿通孔にバンド部を通す際に、電線固定部にバンド部が引っかかりにくくなる。これにより、バンド挿通孔にバンド部を通しやすくなる。
【００１７】
特に、第４の態様に係る電線固定構造によると、壁部のうち、収容空間側であってバンド挿通孔がある側方部分に、バンド挿通孔に向けて徐々に深くなるバンド挿通補助凹部が形成されているため、バンド部の先端をバンド挿通孔に入れやすくなる。
【００１８】
特に、第５の態様に係る電線固定構造によると、壁部のうち本体部の長手方向に沿って電線固定部の両端側と連なる部分が、電線固定部と同じ隆起量で全体的に隆起しているため、電線固定部を補強することができる。
【００１９】
第６の態様に係るプロテクタによると、壁部の中間部分が本体部の長手方向に沿った一部で収容空間側に隆起する態様に形成された電線固定部を含み、壁部のうち電線固定部の両側方に位置する部分に結束バンドのバンド部を挿通可能なバンド挿通孔が形成されているため、壁部の内面から電線固定部の内面までの寸法が小さくなり、プロテクタの内部に収容できる電線の数を多くすることができる。また、電線固定部の外面が、バンド挿通孔が形成された壁部の外面よりもバンド部の厚み以上凹んでいるため、プロテクタ保持用枠治具にプロテクタを収容しつつバンド部をバンド挿通孔に通すことができるとともに、バンド部が壁部の外面より出っ張ることを抑制できる。
【図面の簡単な説明】
【００２０】
【図１】実施形態に係る電線固定構造を示す概略断面図である。
【図２】プロテクタを示す部分斜視図である。
【図３】プロテクタを示す部分平面図である。
【図４】図３のＩＶ−ＩＶ線に沿って切断した断面図である。
【図５】プロテクタに配線部材を固定する一工程を示す説明図である。
【図６】プロテクタに配線部材を固定する一工程を示す説明図である。
【図７】プロテクタに配線部材を固定する一工程を示す説明図である。
【図８】プロテクタの第１変形例を示す断面図である。
【図９】プロテクタの第２変形例を示す断面図である。
【図１０】プロテクタの第３変形例を示す断面図である。
【発明を実施するための形態】
【００２１】
｛実施形態｝
以下、実施形態に係る電線固定構造１０について説明する。図１は、実施形態に係る電線固定構造１０を示す概略断面図である。
【００２２】
実施形態に係る電線固定構造１０は、配線部材１２と、結束バンド５０と、プロテクタ２０とを備える。電線固定構造１０は、結束バンド５０によりプロテクタ２０とプロテクタ２０の内部に収容された配線部材１２とを同時に結束し、配線部材１２をプロテクタ２０に対して固定するためのものである。
【００２３】
配線部材１２は、少なくとも１本の電線１４を含む。電線１４は、芯線の外周に樹脂が押出被覆等されることで被覆部が形成された構成とされている。ここでは、配線部材１２が、束ねられた複数の電線１４を含む例で説明する。なお、光ファイバ等が電線１４に沿って配設されていてもよい。配線部材１２に含まれる電線１４は、車両等の配設対象箇所に配設された状態で、車両等に搭載された各種電気機器同士を電気的に接続するものとして用いられる。なお、図１、図６及び図７の配線部材１２では、束ねられた複数の電線１４の概形が描かれている。また、電線１４は図１において、一部のみ図示されている。
【００２４】
結束バンド５０は、帯状に形成されたバンド部５２と、バンド部５２の一方側端部とつながると共にバンド部５２の他方側端部を係止可能に形成されたバンド固定部５６と、を含む。配線部材１２が後述する電線固定部４０の一方側の主面に接した状態で、バンド部５２が後述する第１バンド挿通孔２８ａと第２バンド挿通孔２８ｂに通されるとともに、配線部材１２と電線固定部４０とに巻回された状態で、バンド固定部５６に係止される。
【００２５】
具体的には、バンド部５２の内周面と外周面とのうち少なくとも一方側の面（ここでは、外周面）には後述するバンド係止部５９が選択的に係止可能な複数の凹部が形成されている。複数の凹部のうちの各凹部は、ここでは、バンド部５２の先端側にバンド部５２の長手方向に沿って一定の間隔で順に形成されている。なお、各凹部の間隔が一定であることは必須ではない。また、ここでは、バンド部５２の先端側部分付近には凹部は形成されていない。より具体的には、各凹部の形状は、バンド部５２の厚み方向中央に向けて凹む形状に形成されている。
【００２６】
バンド固定部５６は、ここでは、直方体状に形成され、そのうちの一つの面からバンド部５２が突出する。また、バンド固定部５６は、バンド挿通部５８とバンド係止部５９とを備える。
【００２７】
バンド挿通部５８は、バンド部５２が挿通及び係止可能な係止孔５８ａが形成されている。ここでは、バンド挿通部５８は、両端側に開口する角筒状に形成されており、その内部に角孔状の係止孔５８ａが形成されている。係止孔５８ａの幅寸法は、バンド部５２の幅寸法よりも大きく、係止孔５８ａの高さ寸法はバンド部５２の厚み寸法よりも大きい。バンド部５２は配線部材１２及びプロテクタ２０に巻付けられた後、バンド挿通部５８の一端側開口から他端側開口に向けて係止孔５８ａ内に挿通される。ここでは、バンド固定部５６のうちバンド部５２が突出する面に直交する一対の側面を貫通する断面四角形の孔を形成することで、バンド挿通部５８及び係止孔５８ａとしている。
【００２８】
バンド係止部５９は、バンド部５２の一方側の面に複数設けられた凹部に選択的に係止可能に構成されている。ここでは、バンド係止部５９は、バンド挿通部５８のバンド部５２側とは反対側の内周面から突出する突起状に形成され、バンド部５２の外周面に設けられた凹部に選択的に係止可能に構成されている。
【００２９】
バンド係止部５９の幅寸法は、凹部の幅寸法と同じかそれよりも小さく（ここでは、若干小さく）設定されている。また、バンド係止部５９の高さ寸法は、凹部の深さ寸法と同じかそれよりも大きく（ここでは、若干大きく）設定されている。
【００３０】
ここで、バンド部５２とバンド固定部５６とで、バンド部５２を係止させる動作について説明する。
【００３１】
まずは、係止孔５８ａにバンド部５２を先端側部分から挿通していく。この際に、凹部が設けられていない先端側部分がバンド係止部５９を通過する際にはバンド係止部５９が弾性変形して凹部が設けられている部分までバンド部５２が挿通される。そして凹部が形成されている部分がバンド係止部５９まで挿通されるとバンド係止部５９が弾性変形の状態から元に戻り凹部に入り込む。
【００３２】
この状態で、バンド部５２をさらに挿通させようとすると、バンド部５２及びバンド係止部５９が弾性変形し、バンド部５２が挿通可能になる。
【００３３】
これに対して、バンド部５２を係止孔５８ａから抜く向きには、バンド部５２とバンド係止部５９とが引っかかり抜止状態になる。
【００３４】
バンド部５２が配線部材１２を締め付け、挿通不能となるところまでバンド部５２を係止孔５８ａに挿通させることで、バンド部５２はどちらの向きにも動けず係止状態となる。以上により、バンド部５２が配線部材１２を締め付けるように、バンド部５２を配線部材１２及び電線固定部４０の第１バンド挿通孔２８ａと第２バンド挿通孔２８ｂとの間の部分の周囲に巻付けた状態でバンド固定部５６に係止可能となる。
【００３５】
この際に、バンド部５２のうちバンド係止部５９を通過した余長部分については、切断されることで他の部材に干渉することを抑えることができる。
【００３６】
なお、バンド係止部５９は一度に１つの凹部にのみ入り込む形状でもよいし、同時に２つ以上の凹部に入り込むように形成されていてもよい。バンド係止部５９が同時に２つ以上の凹部に入り込むように形成されていると、バンド部５２の係止状態（抜止状態）がより強固になる。
【００３７】
もっとも、バンド部５２をバンド固定部５６に固定する構成は、上記したものに限られない。例えば、凹部がバンド部５２の側部に設けられ、バンド係止部５９がバンド挿通部５８の内周側の側面に設けられていてもよい。つまり、バンド部５２が配線部材１２に巻回された状態で、バンド部５２の先端側から順にバンド固定部５６に固定可能なものであればよい。
【００３８】
次に、プロテクタ２０について説明する。図２は、プロテクタ２０を示す部分斜視図である。図３は、プロテクタ２０を示す部分平面図である。図４は、図３のＩＶ−ＩＶ線に沿って切断した断面図である。
【００３９】
プロテクタ２０は、本体部２２と、電線固定部４０とを含む。本体部２２には、バンド挿通孔２８が形成されている。また、ここでは、プロテクタ２０は、蓋部３２を含む。
【００４０】
具体的には、本体部２２には、三方に壁部２４が設けられている。そして、壁部２４に囲まれた収容空間２６に配線部材１２を収容可能となっている。蓋部３２は、壁部２４とともに、本体部２２の収容空間２６に収容された配線部材１２の四方を囲うことができるように、本体部２２と開閉可能に設けられている。
【００４１】
より具体的には、ここでは、三方の壁部２４は、真ん中に位置する底壁部２４ａと、底壁部２４ａの両端からそれぞれ底壁部２４ａに直交するように延びる２つの側壁部２４ｂとで構成されている。ここでは、側壁部２４ｂが底壁部２４ａに直交しているため、側壁部２４ｂの底壁部２４ａからの高さ寸法は、側壁部２４ｂの幅方向の寸法と等しくなっている。また、ここでは、２つの側壁部２４ｂの底壁部２４ａからの高さ寸法が等しくなっている。これにより、ここでは、蓋部３２を閉めた際のプロテクタの長手方向に直交する方向に沿って切断した断面形状が長方形状になっている。
【００４２】
もっとも、側壁部２４ｂが底壁部２４ａに直交すること及び２つの側壁部２４ｂの底壁部２４ａからの高さ寸法が等しくなっていることは必須ではない。側壁部２４ｂが底壁部２４ａから斜めに延びていてもよいし、２つの側壁部２４ｂの底壁部２４ａからの高さ寸法が異なっていてもよい。これらの設定を変えることで、本体部２２の断面形状、即ち収容空間２６の形状を変えることができる。
【００４３】
壁部２４の厚み寸法は、バンド部５２の厚み寸法よりも大きくなるように設定されている。またここでは、壁部２４の厚み寸法は、すべて等しくなるように設定されているが、一部の壁部２４の厚み寸法が大きくなるように設定されていてもよい。
【００４４】
電線固定部４０は、壁部２４の周方向の中間部分が本体部２２の長手方向に沿った一部で収容空間２６側に隆起する態様に形成されている。電線固定部４０は、壁部２４の厚み以下（ここでは、壁部２４の厚み分）の隆起量で収容空間２６側に隆起している。
【００４５】
ここでは、電線固定部４０は、底壁部２４ａに設けられているが、２つの側壁部２４ｂのうちどちらか一方に設けられていてもよい。
【００４６】
またここでは、電線固定部４０の幅方向中央が、壁部２４の幅方向中央と一致するように設けられているが、電線固定部４０の幅方向中央は、壁部２４の幅方向一方側に偏った位置に設けられていてもよい。
【００４７】
電線固定部４０の長手方向の寸法は、後述するバンド挿通孔２８の幅方向の寸法よりも大きければよい。バンド挿通孔２８が形成されても、バンド挿通孔２８の幅方向両側で電線固定部４０と底壁部２４ａとがつながっていればよい。
【００４８】
また、電線固定部４０の幅方向の寸法は、電線固定部４０と配線部材１２とを結束バンド５０で結束できるだけの十分な剛性を持っていて、且つ、電線固定部４０の側方にバンド挿通孔２８を形成できるものであればよい。
【００４９】
バンド挿通孔２８は、壁部２４のうち電線固定部４０の両側方に位置する部分にバンド部５２を挿通可能に形成されている。バンド挿通孔２８は、壁部２４の内面から外面にかけて壁部２４を貫通するように形成されている。バンド挿通孔２８の幅寸法（壁部２４の長手方向の寸法）は、バンド部５２の幅寸法よりも大きく、バンド挿通孔２８の高さ寸法（壁部２４の幅方向の寸法）はバンド部５２の厚み寸法よりも大きい。
【００５０】
より具体的には、ここでは、バンド挿通孔２８は、電線固定部４０に対して壁部２４の幅方向一方側に形成されている第１バンド挿通孔２８ａと、電線固定部４０に対して壁部２４の幅方向他方側に形成されている第２バンド挿通孔２８ｂと、を含む。
【００５１】
ここでは、第１バンド挿通孔２８ａと第２バンド挿通孔２８ｂとは、共に同じ形状に形成されているが、異なる形状に形成されてもよい。
【００５２】
電線固定部４０の外面は、バンド挿通孔２８が形成された壁部２４の外面よりもバンド部５２の厚み以上凹んでいる。またここでは、壁部２４のうち、バンド挿通孔２８の内周縁部に当たる部分であって電線固定部４０の外面に連なる部分もバンド部５２の厚み以上凹むように形成されている。これにより、第１バンド挿通孔２８ａから本体部２２の外側に出たバンド部５２が、壁部２４の外面よりも外側に突出することなく、第２バンド挿通孔２８ｂから本体部２２の内側に入ることができる。つまり、バンド部５２が配線部材１２及び電線固定部４０に巻回された際に、バンド部５２が、壁部２４の外面よりも内側で、電線固定部４０の外面に密着できるようになる。
【００５３】
また、ここでは、壁部２４のうち本体部２２の長手方向に沿って電線固定部４０の両端側と連なる部分が、電線固定部４０と同じ隆起量で全体的に隆起している。
【００５４】
具体的には、壁部２４のうち電線固定部４０が形成されている底壁部２４ａに電線接触部４６が形成されている。電線接触部４６は、本体部２２の長手方向に沿って電線固定部４０の両端側と連なる部分が、電線固定部４０と同じ態様で形成されている。つまり、電線固定部４０が形成されている壁部２４に、電線固定部４０と同じ内面及び外面形状がその長手方向に沿って一方側端部から他方側端部にかけて続く態様になっている。これにより、電線固定部４０を補強することができるとともに、電線固定部４０と電線接触部４６との一連の隆起及び凹みの形状を形成しやすくなる。また、配線部材１２を電線固定部４０と電線接触部４６との内面に接触させて直線状に配設することができる。
【００５５】
壁部２４には、バンド挿通補助凹部３０が形成されている。バンド挿通補助凹部３０は、壁部２４のうち、収容空間２６側であってバンド挿通孔２８がある側方部分に、バンド挿通孔２８に向けて徐々に深くなる態様で形成されている。
【００５６】
具体的には、底壁部２４ａのうち、収容空間２６側であってバンド挿通孔２８の側方部分がバンド挿通孔２８と同じ幅寸法でバンド挿通孔２８に向けて徐々に薄肉になる態様で薄肉部３１が設けられている。これにより、薄肉部３１の内面と底壁部２４ａの内面とに差が生じる。この差の部分がバンド挿通補助凹部３０となっている。
【００５７】
この薄肉部３１の内面が側壁部２４ｂの側からバンド挿通孔２８の側に向けて下るように傾斜している。薄肉部３１のこの傾斜の度合いは、特に限定されるものではなく、緩やかであってもよいし、急であってもよい。薄肉部３１のこの傾斜が設けられることにより、側壁部２４ｂに沿ってバンド挿通補助凹部３０に入ったバンド部５２が、薄肉部３１の内面の傾斜に沿ってバンド挿通孔２８まで導かれる。この際に、薄肉部３１の幅方向両側には、底壁部２４ａの側面が位置しているため、薄肉部３１の内面上を進むバンド部５２が薄肉部３１から外れることを抑えることができる。
【００５８】
もっとも、バンド挿通補助凹部３０が形成されることは必須ではなく、後述する第３変形例に係るプロテクタ２０Ｃのように、バンド挿通補助凹部３０が形成されていなくてもよい。
【００５９】
またここでは、バンド挿通補助凹部３０が第１バンド挿通孔２８ａの側方と第２バンド挿通孔２８ｂの側方とに２つ形成されているが、どちらか一方のバンド挿通孔２８の側方にのみ形成されていてもよい。しかしながら、バンド挿通補助凹部３０が２つのバンド挿通孔２８にそれぞれ連なるように２つ形成されていることにより、２つのバンド挿通孔２８のうちどちら側からでもバンド部５２を挿入しやすくなる。また、バンド部５２が一方側のバンド挿通孔２８からプロテクタ２０外側へ出たのち、他方側のバンド挿通孔２８から再びプロテクタ２０の内側へ入る際に、他方側のバンド挿通孔２８に入ったバンド部５２の先端が他方側のバンド挿通孔２８の内周縁部に接触し、バンド挿通孔２８から抜けづらくなることを抑えることができる。
【００６０】
蓋部３２は、底壁部２４ａと対向する位置に設けられている。蓋部３２には、バンド固定部５６の一部を収容可能な凹部３２ａが形成されている。ここでは、バンド固定部５６が位置する部分に、蓋部３２の一方側主面から他方側主面にかけて貫通し、バンド固定部５６の一部が通れる貫通孔が形成されている。
【００６１】
もっとも、蓋部３２にバンド固定部５６の一部を収容可能な凹部３２ａが形成されていることは必須ではなく、凹部３２ａは形成されていなくてもよい。また、蓋部３２にバンド固定部５６の一部を収容可能な凹部３２ａが形成されている場合であっても、凹部３２ａが貫通孔であることは必須ではなく、凹部３２ａは一部が窪んでいる態様であってもよい。しかしながら、蓋部３２にバンド固定部５６の一部を収容可能な凹部３２ａが形成されることにより、プロテクタ２０の外径をより小さくすることができ、さらに当該凹部３２ａが貫通孔であることにより、その効果を高めることができる。
【００６２】
またここでは、蓋部３２と本体部２２とは、ロック機構部（図示なし）により着脱可能に設けられている。即ち、蓋部３２の両側面と、２つの側壁部２４ｂの端部側の外周面とのうち、一方に嵌合凸部が形成されるとともに、他方に嵌合凸部と嵌合する嵌合凹部が形成されることにより、蓋部３２と本体部２２とは、着脱可能に設けられている。
【００６３】
もっとも、蓋部３２と本体部２２とがロック機構部により着脱可能に設けられていることは、必須ではなく、例えば、蓋部３２と本体部２２とがヒンジ部を介して本体部２２の開口部を開閉可能に連結されていてもよい。
【００６４】
またここでは、２つの側壁部２４ｂの底壁部２４ａからの高さ寸法が等しくなるように形成されているため、底壁部２４ａと蓋部３２とが平行に対向している。このため、凹部３２ａは２つの側壁部２４ｂのうちどちら側に形成されていてもよい。なお、２つの側壁部２４ｂのうち一方の幅方向の寸法が他方の幅寸法よりも大きくなるように本体部２２が形成されている場合であって、バンド固定部５６を収容可能な凹部３２ａが形成されている蓋部３２が設けられる場合は、凹部３２ａが形成されている部分に近い側の側壁部２４ｂの底壁部２４ａからの高さ寸法が大きくなるように設けられていることが好ましい。これにより、プロテクタ２０の外径を小さくすることができる。
【００６５】
＜方法＞
次に、電線固定構造１０において、結束バンド５０により配線部材１２をプロテクタ２０に固定する方法について説明する。図５〜図７は、プロテクタ２０に配線部材１２を固定する一工程を示す説明図である。
【００６６】
まずは、図５のように、プロテクタ保持用枠治具６０にプロテクタ２０を保持するとともに、結束バンド５０のバンド部５２を挿通孔に通す。
【００６７】
具体的には、プロテクタ保持用枠治具６０は、その内面がプロテクタ２０の外形に対応した形状に形成され、内部にプロテクタ２０を収容可能な半筒状に形成されている。このプロテクタ保持用枠治具６０にプロテクタ２０が保持された状態で、一連の結束部材によるプロテクタ２０への電線固定作業が行われる。これにより、電線の固定箇所の位置決めをより正確に行うことができる。
【００６８】
プロテクタ保持用枠治具６０にプロテクタ２０が保持された状態で、まずは、バンド部５２を一方側の側壁部２４ｂに沿わせつつ、バンド部５２の先端を、底壁部２４ａのうちバンド挿通補助凹部３０が形成されている部分に向けて接近させていく。すると、バンド部５２の先端が、底壁部２４ａのうちバンド挿通補助凹部３０が形成された部分の内面に当たる。この状態でそのまま、底壁部２４ａに向かってバンド部５２を押すと、バンド挿通補助凹部３０により形成された傾斜に従ってバンド部５２の先端が一方側のバンド挿通孔２８に近づいていく。そして、このまま、バンド部５２の先端が一方のバンド挿通孔２８からプロテクタ２０の外部に抜け、電線固定部４０の外面とプロテクタ保持用枠治具６０の内面との間を通り、他方のバンド挿通孔２８から再びプロテクタ２０の内部に抜けるようにして、バンド挿通孔２８にバンド部５２を通す。
【００６９】
この際に、薄肉部３１の幅方向両側には、底壁部２４ａの側面が位置しているため、薄肉部３１の内面上を進むバンド部５２が薄肉部３１から外れることを抑えることができ、より確実にバンド部５２をバンド挿通孔２８へと導くことができる。
【００７０】
また、バンド挿通孔２８の内周縁部のうち、薄肉部３１の側面に当たる部分は厚みが薄くなっているため、他方側のバンド挿通孔２８から再びプロテクタ２０の内側へ入る際に、バンド部５２の先端が他方側のバンド挿通孔２８の内周縁部に引っ掛かり、バンド挿通孔２８から抜けづらくなることを抑えることができる。
【００７１】
次に、図６のように、結束バンド５０を仮締めするとともに、本体部２２に配線部材１２を収容する。
【００７２】
具体的には、他方側のバンド挿通孔２８から再びプロテクタ２０の内部に入ったバンド部５２の先端を係止孔５８ａへと挿入し、バンド部５２の先端を係止孔５８ａからわずかに出しておく。この状態で、配線部材１２を電線固定部４０に接触する態様で本体部２２に形成された収容空間２６に収容する。
【００７３】
もっとも、配線部材１２を収容空間２６に収容したのち、配線部材１２が電線固定部４０の内面と接触した状態で、バンド部５２をバンド挿通孔２８に通すとともに、配線部材１２及び電線固定部４０に巻回してもよい。この際に、バンド部５２をバンド挿通孔に通す際に、配線部材１２の一部の電線１４が電線固定部４０の内面から底壁部２４ａの内面に落ちる場合がありうる。
【００７４】
この場合でも、電線固定部４０がバンド挿通孔２８の幅方向両側で底壁部２４ａとつながっているため、落ちた電線がバンド挿通孔２８に入りづらい。このため、落ちた電線が電線固定部４０の下方に位置して結束バンド５０の巻回作業の邪魔になることを抑えることができる。また、バンド挿通補助凹部３０が設けられているため、底壁部２４ａに電線が落ちた場合でも、バンド部５２の先端がバンド挿通補助凹部３０を通ってバンド挿通孔２８に入りやすい。
【００７５】
そして、図７のように、蓋部３２を閉め、寸法を決定すると共に結束バンド５０を本締めする。
【００７６】
具体的には、本体部２２に蓋部３２を取り付け、本体部２２の開口部を閉じるとともに、蓋部３２の凹部３２ａから結束バンド５０の先端を外に出す。この際に、蓋部３２の凹部３２ａにバンド固定部５６の一部が収まるようにバンド固定部５６の位置を調節する。そして、バンド固定部５６を抑えながらバンド部５２の先端をバンド挿通孔２８から遠ざかる向きにそれ以上引っ張れないところまで引っ張る。これにより、配線部材１２と電線固定部４０とが結束バンド５０できつく締められ、固定される。
【００７７】
後は、バンド部５２の先端の余長部分を切除するとともに、プロテクタ保持用枠治具６０からプロテクタ２０を外すことにより、本実施形態に係る電線固定構造１０が完成となる。
【００７８】
＜効果＞
実施形態に係る電線固定構造１０によると、底壁部２４ａが本体部２２の長手方向に沿った一部で収容空間２６側に隆起する態様で電線固定部４０が形成されるとともに、壁部２４のうち電線固定部４０の両側方に位置する部分にバンド部５２を挿通可能なバンド挿通孔２８が形成されているため、壁部２４の内面から電線固定部４０の内面までの寸法が小さくなり、プロテクタ２０の内部に収容できる電線の数を多くすることができる。また、電線固定部４０の外面は、バンド挿通孔２８が形成された壁部２４の外面よりもバンド部５２の厚み以上凹んでいるため、プロテクタ保持用枠治具６０にプロテクタ２０を収容しつつバンド部５２をバンド挿通孔２８に通すことができるとともに、バンド部５２が壁部２４の外面より出っ張ることを抑制できる。
【００７９】
また、壁部２４のうち、収容空間２６側であってバンド挿通孔２８がある側方部分に、バンド挿通孔２８に向けて徐々に深くなるバンド挿通補助凹部３０が形成されているため、バンド部５２の先端をバンド挿通孔２８に入れやすくなる。
【００８０】
また、壁部２４のうち本体部２２の長手方向に沿って電線固定部４０の両端側と連なる部分が、電線固定部４０と同じ隆起量で全体的に隆起しているため、電線固定部４０を補強することができる。
【００８１】
また、収容空間２６に配線部材１２を配設した際に、電線が電線固定部から底壁部２４ａの方に落ちた場合でも、落ちた電線がバンド挿通孔２８に入りづらいため、落ちた電線が電線固定部４０の下方に位置して結束バンド５０の巻回作業の邪魔になることを抑えることができる。また、バンド挿通補助凹部３０が設けられているため、底壁部２４ａに電線が落ちた場合でも、バンド部５２の先端がバンド挿通補助凹部３０を通ってバンド挿通孔２８に入りやすい。
【００８２】
｛変形例｝
次に、プロテクタ２０の変形例について説明する。図８〜図１０は、それぞれプロテクタ２０の第１変形例、第２変形例、及び、第３変形例を示す断面図である。なお、図８〜図１０は、図４と同様の位置で切断した断面図である。
【００８３】
第１変形例に係るプロテクタ２０Ａは、電線固定部４０Ａの形状が実施形態に係るプロテクタ２０のものとは異なる。
【００８４】
具体的には、プロテクタ２０Ａの電線固定部４０Ａには、内面にその幅方向両端から中央に向けて凹むような態様の電線収容凹部４２が形成されている。ここでは、電線収容凹部４２は、本体部２２に収容される配線部材１２の径と同様の曲率半径を持つ円弧状に形成されている。
【００８５】
また、ここでは、底壁部２４ａのうち、長手方向に沿って電線固定部４０に連なる隆起部分にも同様の電線収容凹部４２が形成されている。
【００８６】
第１変形例に係るプロテクタ２０Ａを備える電線固定構造によっても、実施形態に係る電線固定構造１０と同様の効果を得ることができる。
【００８７】
さらに、第１変形例に係るプロテクタ２０Ａを備える電線固定構造によると、電線固定部４０Ａには、内面にその幅方向両端から中央に向けて凹むような態様の電線収容凹部４２が形成されているため、電線の一部が電線収容凹部４２に収まることによって、プロテクタ２０Ａの内部に収容できる電線の数を多くすることができる。
【００８８】
第２変形例に係るプロテクタ２０Ｂは、電線固定部４０Ｂにバンド挿通凹部４４が形成されている点で実施形態に係るプロテクタ２０とは異なる。
【００８９】
具体的には、バンド挿通凹部４４は、電線固定部４０Ｂの外面が、壁部２４の内面よりも収容空間２６側に位置する態様で電線固定部４０Ｂの外面側に形成されている。また、バンド挿通凹部４４は、バンド部５２を挿通可能に形成されている。
【００９０】
第２変形例に係るプロテクタ２０Ｂを備える電線固定構造によっても、実施形態に係る電線固定構造１０と同様の効果を得ることができる。
【００９１】
さらに、第２変形例に係るプロテクタ２０Ｂを備える電線固定構造によると、電線固定部４０Ｂの外面が、壁部２４の内面よりも収容空間２６側に位置する態様で、電線固定部４０Ｂにバンド部５２を挿通可能なバンド挿通凹部４４が形成されているため、バンド挿通孔２８にバンド部５２を通す際に、電線固定部４０Ｂにバンド部５２が引っかかりにくくなる。これにより、バンド挿通孔２８にバンド部５２を通しやすくなる。
【００９２】
第３変形例に係るプロテクタ２０Ｃは、本体部２２Ｃにバンド挿通補助凹部３０が設けられていない点で実施形態に係るプロテクタ２０とは異なる。
【００９３】
具体的には、底壁部２４ａのうち、バンド挿通孔２８の内周面に相当する側面部分は電線固定部４０側を除く三方ですべて、底壁部２４ａの外面及び内面と直交するように形成されている。
【００９４】
第３変形例に係るプロテクタ２０Ｃを備える電線固定構造によっても、バンド挿通補助凹部３０が設けられていることによる効果以外の効果については、実施形態に係る電線固定構造１０と同様の効果を得ることができる。
【００９５】
なお、上記実施形態及び各変形例で説明した各構成は、相互に矛盾しない限り適宜組み合わせることができる。
【００９６】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００９７】
１０  電線固定構造
１２  配線部材
１４  電線
２０，２０Ａ，２０Ｂ，２０Ｃ  プロテクタ
２２，２２Ｃ  本体部
２４  壁部
２６  収容空間
２８  バンド挿通孔
３０  バンド挿通補助凹部
４０，４０Ａ，４０Ｂ  電線固定部
４２  電線収容凹部
４４  バンド挿通凹部
５０  結束バンド
５２  バンド部
５６  バンド固定部
【図１】
2015146669.tif 000003
【図２】
2015146669.tif 000004
【図３】
2015146669.tif 000005
【図４】
2015146669.tif 000006
【図５】
2015146669.tif 000007
【図６】
2015146669.tif 000008
【図７】
2015146669.tif 000009
【図８】
2015146669.tif 000010
【図９】
2015146669.tif 000011
【図１０】
2015146669.tif 000012